(57)【要約】【課題】  Ｗｅｂページにおいて、新規にページが作成された場合、及びページが編集された場合に、Ｗｅｂページの信頼度を判定するシステムを提供することにある【解決手段】  ページ毎の信頼度を示すページ信頼度テーブルと、ページ作成編集者のＷｅｂページに対する貢献度を示す貢献度テーブルと、ページ作成編集者の信頼度を示す人信頼度テーブルと、Ｗｅｂページの作成編集が行われたときに、ページ作成編集者テーブルと貢献度テーブルを更新し、Ｗｅｂページの信頼度を判定する処理部と、入力されたＷｅｂページの評価結果からページ信頼度テーブルを更新し、貢献度テーブルとページ信頼度テーブルを参照して人信頼度テーブルを更新する処理部を備えることを特徴とする。【選択図】      図１
2008242509.tif 000002
【特許請求の範囲】
【請求項１】
Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備えたことを特徴とするＷｅｂページ信頼度判定システム。
【請求項２】
閲覧者端末と、Ｗｅｂページ作成編集者端末と、人信頼度管理サーバ及びＷｅｂページ信頼度判定管理サーバとがネットワークで接続されたＷｅｂページ信頼度判定システムであって、
前記Ｗｅｂページ信頼度判定管理サーバは、Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、前記閲覧者端末から受信した前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備え、
前記人信頼度管理サーバは、前記Ｗｅｂページ信頼度判定管理サーバからの前記人信頼度情報を受信して、前記人信頼度テーブルを更新する人信頼度情報更新処理部を有することを特徴とするＷｅｂページ信頼度判定システム。
【請求項３】
Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、閲覧者端末から受信した前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備えたことを特徴とするＷｅｂページ信頼度判定管理サーバ。
【請求項４】
Ｗｅｂページ毎に前記Ｗｅｂページの作成編集者がどの部分を作成編集したかを示すページ作成編集者テーブルを格納するステップと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理ステップと、閲覧者端末から受信した前記Ｗｅｂページの評価結果に基づいて算出された前記Ｗｅｂページ毎のページ信頼度情報をページ信頼度テーブルに格納するステップと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理ステップと、前記Ｗｅｂページの作成編集が行われたときに、前記Ｗｅｂページ毎の信頼度を前記人信頼度情報と前記貢献度情報に基づいて判定するページ信頼度判定処理ステップと、を含むことを特徴とするＷｅｂページ信頼度判定管理方法。
【請求項５】
Ｗｅｂページ毎に前記Ｗｅｂページの作成編集者がどの部分を作成編集したかを示すページ作成編集者テーブルを格納する処理と、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理と、閲覧者端末から受信した前記Ｗｅｂページの評価結果に基づいて算出された前記Ｗｅｂページ毎のページ信頼度情報をページ信頼度テーブルに格納する処理と、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理と、前記Ｗｅｂページの作成編集が行われたときに、前記Ｗｅｂページ毎の信頼度を前記人信頼度情報と前記貢献度情報に基づいて判定するページ信頼度判定処理と、をコンピュータに行わせることを特徴とするプログラム。
【請求項６】
閲覧者端末と、Ｗｅｂページ作成編集者端末と、Ｗｅｂサーバと、Ｗｅｂページ信頼度判定サーバ、及びプロキシサーバとがネットワークで接続されたＷｅｂページ信頼度判定システムであって、
前記Ｗｅｂページ信頼度判定サーバは、Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、閲覧者端末から受信した前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、
前記閲覧者端末から受信した前記Ｗｅｂページへの評価結果から前記ページ信頼度テーブルを更新するページ信頼度情報更新処理部と、前記貢献度テーブルと前記ページ信頼度テーブルを参照して人信頼度テーブル内の人信頼度情報を更新する人信頼度情報更新処理部、を備え、
前記プロキシサーバは、前記Ｗｅｂサーバとの連携処理を行うＷｅｂサーバ連携処理部と、前記Ｗｅｂページ信頼度判定管理サーバとの連携処理を行うＷｅｂページ信頼度判定サーバ連携処理部を有することを特徴とするＷｅｂページ信頼度判定システム。
【発明の詳細な説明】
【技術分野】
【０００１】
本発明はＷｅｂページ信頼度判定システム、Ｗｅｂページ信頼度判定管理サーバ、Ｗｅｂページ信頼度判定管理方法、Ｗｅｂページ信頼度判定方法、及びプログラムに関し、特に、Ｗｅｂページの作成、編集に関わった人の信頼度を利用したＷｅｂページ信頼度判定システム、Ｗｅｂページ信頼度判定管理サーバ、Ｗｅｂページ信頼度判定管理方法、Ｗｅｂページ信頼度判定方法、及びプログラムに関する。
【背景技術】
【０００２】
ＷＯ２００２／０９９６９５号公報には、信頼性の高い有用な情報を提供する情報処理装置が開示されている。
【０００３】
この従来の情報処理装置は、様々な情報提供者からの情報を格納するとともに、提供情報の利用結果に基づく評価、あるいは提供情報に基づく実際の処理結果を入力して、情報の信頼度を算出するというものである。
【０００４】
【特許文献１】ＷＯ２００２／０９９６９５号公報
【発明の開示】
【発明が解決しようとする課題】
【０００５】
しかしながら、上述した関連する技術においては、Ｗｉｋｉｐｅｄｉａ等の、様々な人が作成または編集可能なＷｅｂページにおいて、新規にページが作成された場合、またはページが編集された場合に、その作成または編集されたページに評価情報が蓄積されないためページの信頼度を判定できないという問題点がある。
【０００６】
本発明の目的は、Ｗｉｋｉｐｅｄｉａ等の様々な人が作成または編集可能なＷｅｂページにおいて、新規にページが作成された場合にはそのＷｅｂページの信頼度を判定し、またページが編集された場合には蓄積した評価情報に矛盾がないようにそのページの信頼度を変更する、Ｗｅｂページ信頼度判定システム、Ｗｅｂページ信頼度判定サーバ、及びプログラムを提供することにある。
【課題を解決するための手段】
【０００７】
本発明の第１のＷｅｂページ信頼度判定システムは、Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備えたことを特徴とする。
本発明の第２のＷｅｂページ信頼度判定システムは、閲覧者端末と、Ｗｅｂページ作成編集者端末と、人信頼度管理サーバ及びＷｅｂページ信頼度判定管理サーバとがネットワークで接続されたＷｅｂページ信頼度判定システムであって、
前記Ｗｅｂページ信頼度判定管理サーバは、Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、前記閲覧者端末から受信した前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備え、
前記人信頼度管理サーバは、前記Ｗｅｂページ信頼度判定管理サーバからの前記人信頼度情報を受信して、前記人信頼度テーブルを更新する人信頼度情報更新処理部を有することを特徴とする。
【０００８】
本発明の第１のＷｅｂページ信頼度判定管理サーバは、Ｗｅｂページ毎に前記Ｗｅｂページの作成編集者がどの部分を作成編集したかを示すページ作成編集者テーブルと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理部と、閲覧者端末から受信した前記Ｗｅｂページの評価結果に基づいて算出された前記Ｗｅｂページ毎のページ信頼度情報を格納するページ信頼度テーブルと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理部と、前記Ｗｅｂページの作成編集が行われたときに、前記Ｗｅｂページ毎の信頼度を前記人信頼度情報と前記貢献度情報に基づいて判定するページ信頼度判定処理部と、を備えたことを特徴とする。
【０００９】
本発明の第１のＷｅｂページ信頼度判定管理方法は、Ｗｅｂページ毎に前記Ｗｅｂページの作成編集者がどの部分を作成編集したかを示すページ作成編集者テーブルを格納するステップと、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理ステップと、閲覧者端末から受信した前記Ｗｅｂページの評価結果に基づいて算出された前記Ｗｅｂページ毎のページ信頼度情報をページ信頼度テーブルに格納するステップと、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理ステップと、前記Ｗｅｂページの作成編集が行われたときに、前記Ｗｅｂページ毎の信頼度を前記人信頼度情報と前記貢献度情報に基づいて判定するページ信頼度判定処理ステップと、を含むことを特徴とする。
【００１０】
本発明の第１のプログラムは、Ｗｅｂページ毎に前記Ｗｅｂページの作成編集者がどの部分を作成編集したかを示すページ作成編集者テーブルを格納する処理と、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理と、閲覧者端末から受信した前記Ｗｅｂページの評価結果に基づいて算出された前記Ｗｅｂページ毎のページ信頼度情報をページ信頼度テーブルに格納する処理と、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理と、前記Ｗｅｂページの作成編集が行われたときに、前記Ｗｅｂページ毎の信頼度を前記人信頼度情報と前記貢献度情報に基づいて判定するページ信頼度判定処理と、をコンピュータに行わせることを特徴とする。
【００１１】
本発明の第３のＷｅｂページ信頼度判定システムは、Ｗｅｂページ毎に前記Ｗｅｂページの作成編集者がどの部分を作成編集したかを示すページ作成編集者テーブルを格納する処理と、前記ページ作成編集者テーブルに基づいて、前記Ｗｅｂページの作成編集者毎の前記Ｗｅｂページへの貢献度を算出し、貢献度テーブルに格納するページ作成編集者貢献度算出処理と、閲覧者端末から受信した前記Ｗｅｂページの評価結果に基づいて算出された前記Ｗｅｂページ毎のページ信頼度情報をページ信頼度テーブルに格納する処理と、前記ページ作成編集者テーブルと、前記ページ信頼度テーブルに基づいて前記ページ作成編集者の人信頼度情報を算出し、前記Ｗｅｂページ毎に前記人信頼度情報を更新する人信頼度情報更新処理と、前記Ｗｅｂページの作成編集が行われたときに、前記Ｗｅｂページ毎の信頼度を前記人信頼度情報と前記貢献度情報に基づいて判定するページ信頼度判定処理と、をコンピュータに行わせることを特徴とする。
【発明の効果】
【００１２】
本発明は、Ｗｅｂページに新規にページが作成された場合、または編集された場合に、閲覧者にその新規なまたは編集されたページの信頼度を提示することができる効果がある。
【００１３】
その理由は、Ｗｅｂページの信頼度を、当該ページの作成または編集に関わった人の信頼度と、関わり度合いを示す貢献度とに基づいて算出するため、その新規に作成されたまたは編集されたページに対する閲覧者からの評価を必要とせずに信頼度を提示することができる構成を採用したためである。
【発明を実施するための最良の形態】
【００１４】
次に、本発明を実施するための最良の形態について図面を参照して詳細に説明する。
【００１５】
図１を参照すると、本発明の第１の実施の形態であるＷｅｂページ信頼度判定システムの全体構成図が示されている。
【００１６】
Ｗｅｂページ信頼度判定システムは、Ｗｅｂページ信頼度判定管理サーバ１００と、人の信頼度情報を管理する人信頼度管理サーバ２００と、閲覧者が保有する閲覧者端末３００と、ページ作成編集者が保有するページ作成編集者端末４００とで構成され、それぞれが相互に、インターネット等のネットワーク５００を介して接続されている。
【００１７】
Ｗｅｂページ信頼度判定管理サーバ１００は、プログラムで制御され、プロセッサ、主記憶装置等を含んでプログラム制御により動作し、Ｗｅｂページ信頼度判定管理サーバ１００の全体の制御を行うデータ処理部１２０、各種のデータの送受信を制御する送受信処理部１２１と、複数（１ページ以上）のＷｅｂページ１１０１０、Ｗｅｂページ２１０１１、ＷｅｂページＮ１０１２、ＷｅｂページＪ（編集）１０１３、ＷｅｂページＮ＋１（新規作成）１０１４、評価用ＵＩ１０１５を表示するＷｅｂページ表示処理部１０１と、ページ情報を格納するページ情報データベース１２２と、Ｗｅｂページの評価が行われたときに、ページ信頼度情報を更新するページ信頼度情報更新処理部１２３と、人情報を格納する人情報データベース１２４と、Ｗｅｂページが作成、編集されたときに、ページ作成編集者情報を更新するページ作成編集者情報更新処理部１０２と，誰がどの部分を作成編集したかという情報から、そのページに対する各人の貢献度を任意の貢献度算出式により算出するページ作成編集者貢献度算出処理部１０３と，人信頼度管理サーバ２００から取得した人信頼度情報と貢献度情報を参照してＷｅｂページの信頼度を判定するページ信頼度判定処理部１０４と，人信頼度管理サーバ２００から人信頼度情報を取得する人信頼度情報取得処理部１０５と，貢献度テーブルとページ信頼度テーブルを参照して人信頼度テーブル内の人信頼度情報を更新する人信頼度情報更新処理部１２５と、前記更新された人信頼度情報を人信頼度管理サーバ２００に送信する人信頼度情報送信処理部１２６を備える。
【００１８】
Ｗｅｂページ１からＷｅｂページＮ＋１は、ネットワーク上に存在する複数の閲覧者端末３００から閲覧可能であり、複数のページ作成編集者端末４００から作成、編集することが可能である。
【００１９】
また、Ｗｅｂページ表示処理部１０１は、そのページの評価用ＵＩを備えている。
【００２０】
ただし、Ｗｅｂページを評価する仕組みは任意であるため、評価用ＵＩがない構成でも良い。
【００２１】
ページ情報を格納するするページ情報データベース１２２は、図２に示されているようなページ信頼度テーブルＴｂ１とページ作成編集者テーブルＴｂ２から構成されている。
【００２２】
ページ信頼度テーブルＴｂ１には、ページの信頼度情報が管理され、ページ作成編集者テーブルＴｂ２には各ページごとに誰がどの部分を作成編集したかといった情報が管理されている。
【００２３】
人情報を格納する人情報データベース１２４は、図３に示されているような貢献度テーブルＴｂ３が格納されている。
【００２４】
貢献度テーブルＴｂ３には、現在のＷｅｂページ構成において誰がどの程度貢献したかという情報が管理されている。
【００２５】
人信頼度管理サーバ２００は、プログラムで制御され、プロセッサ、主記憶装置等を含んでプログラム制御により動作し、人信頼度管理サーバ２００の全体の制御を行うデータ処理部２０１、各種のデータの送受信を制御する送受信処理部２２０と、人情報を格納する人情報データベース２２１と、人信頼度情報の受信を行う人信頼度情報受信処理部２０２，人信頼度情報を更新する人信頼度情報更新処理部２０３から構成されている。
【００２６】
人情報を格納する人情報データベース２２１には、図３にしめされているような人信頼度テーブルＴｂ４が格納されている。
【００２７】
人信頼度テーブルＴｂ４は、作成編集者の信頼度情報を管理する。
【００２８】
尚、ページ信頼度テーブルＴｂ１は、貢献度テーブルの貢献度情報と人信頼度テーブルの人信頼度情報からその都度算出することができ、ページ信頼度の判定処理を効率化させるためのものであり、必要不可欠ではない。
【００２９】
次に、本発明を実施するための第１の実施の形態について説明する。
【００３０】
本発明を実施するための第１の実施の形態の動作について、図４、図５、図６のフローチャートを用いて詳細に説明する。
【００３１】
まず、ページ作成編集者がＷｅｂページを作成編集した際の動作を図４のフローチャートを用いて説明する。
【００３２】
あるページ作成編集者のＷｅｂページ作成編集者端末４００への入力により、Ｗｅｂページが作成編集されると（ステップＳ４００）、ページ作成編集者情報更新処理部１０２は、過去のページ作成編集者情報と照らし合わせ、変更箇所（作成時は全情報）をページ作成編集者テーブルに反映して更新する（ステップＳ４１０）。
【００３３】
次に、ページ作成編集者貢献度算出処理部１０３は、ページ作成編集者テーブル内の誰がどの部分を作成編集したかという情報から、そのページに対する各人の貢献度を算出し（例えば、各人が作成編集したページ数の比率を基に各人の各ページへの貢献度を算出する。）（ステップＳ４１１）、貢献度テーブルを更新する（ステップＳ４１２）。
【００３４】
次に、人信頼度情報取得処理部１０５は、人の信頼度を管理する人信頼度管理サーバ２００に、Ｗｅｂページの作成更新に関係する人の信頼度情報を取得する要求を行う（ステップＳ４１３）。
【００３５】
人信頼度管理サーバ２００のデータ処理部２０１は、Ｗｅｂページ信頼度判定管理サーバ１００から信頼度取得要求があると、人情報データベース２２１内の人信頼度テーブルを参照し（ステップＳ４２０）、要求元のＷｅｂページ信頼度判定管理サーバ１００に結果を返す。
【００３６】
Ｗｅｂページ信頼度判定管理サーバ１００のページ信頼度情報更新処理部１２３は、Ｗｅｂページの作成更新者の人信頼度情報を受け取ると、各作成編集者の貢献度テーブルから抽出される「ページへの貢献度」と、人信頼度管理サーバ２００から受け取った「人信頼度情報」とを基にページの信頼度を算出し（例えば、「ページへの貢献度」と「人信頼度」を乗算して算出する。）（ステップＳ４１４）、ページ信頼度テーブルを更新する（ステップＳ４１５）。
【００３７】
本第１の実施の形態では、ページ作成編集者がＷｅｂページを作成編集した際の動作として図４のフローチャートに示す動作順を提示しているが、ステップＳ４１１〜Ｓ４１２とステップＳ４１３〜Ｓ４２１については、順序を変更しても構わない。
【００３８】
最後に、ステップＳ４１３〜Ｓ４２１で人信頼度の取得処理を行っているが、あらかじめ人信頼度を取得しておけば、ページ作成編集が行われた際に取得処理を行う必要はない。
【００３９】
次に、ページ閲覧者がそのページに対する評価を行った際の動作を図５のフローチャートを用いて説明する。
【００４０】
ページ閲覧者が閲覧者端末３００から評価用ＵＩ１０１５を用いてページに対する評価を入力すると（ステップＳ５００）、Ｗｅｂページ信頼度判定管理サーバ１００のページ信頼度情報更新処理部１２３は、この評価結果に基づきページ信頼度テーブルを更新する（ステップＳ５１０）。
【００４１】
次に、Ｗｅｂページ信頼度判定管理サーバ１００のデータ処理部１２０は、貢献度テーブルを参照して対象のページの作成編集に関わった人の貢献度を取得し（ステップＳ５１１）、その貢献度に応じて作成編集者の信頼度増減分を計算（ステップＳ５１２）、その結果を人信頼度管理サーバ２００に伝える（ステップＳ５１４）。
【００４２】
人信頼度管理サーバ２００の人信頼度情報更新処理部２０３は、変更結果が通知されると、人信頼度更新処理に移り、人信頼度テーブルを更新する（ステップＳ５２０）。
【００４３】
次に、任意のタイミングでのページ信頼度の更新処理動作を図６のフローチャートを用いて説明する。
【００４４】
これは、あるＷｅｂページへの評価によって、別ページの作成編集に関わる人の信頼度が変更された場合に、その結果を別ページの信頼度情報に反映させるための処理である。
【００４５】
また、この処理の動作タイミングは任意である。
【００４６】
Ｗｅｂページ信頼度判定管理サーバ１００は任意のタイミングでページ信頼度判定処理を行う。
【００４７】
この処理では、まず、貢献度テーブルを参照して対象のページの作成編集に関わった人の貢献度を取得する（ステップＳ６００）。
【００４８】
次に、人信頼度情報取得処理部１０５は、人信頼度管理サーバ２００に人信頼度情報の取得要求を出す（ステップＳ６０１）。
【００４９】
人信頼度管理サーバ２００のデータ処理部２０１は、取得要求を受け取ると、人信頼度取得処理に移り、人信頼度テーブルを参照し（ステップＳ６１０）、結果をＷｅｂページ信頼度判定管理サーバ１００へ返す。
【００５０】
Ｗｅｂページ信頼度判定管理サーバ１００のデータ処理部１２０は、作成編集者の人信頼度情報を受け取ると、各作成編集者の「ページへの貢献度」および「人信頼度」を基にページの信頼度を算出し（例えば、「ページへの貢献度」と「人信頼度」を乗算して算出する。）（ステップＳ６０２）、ページ信頼度テーブルを更新する（ステップＳ６０３）。
【００５１】
本第１の実施の形態では、任意のタイミングでのページ信頼度の更新処理動作として図６に示す動作順を提示しているが、ステップＳ６００とステップＳ６０１〜Ｓ６１０については、順序を変更しても構わない。
【００５２】
本発明の第１の実施の形態における第１の効果は、Ｗｅｂページに新規にページが作成された場合、または編集された場合に、閲覧者にその新規なまたは編集されたページの信頼度を提示することができるようになることである。
【００５３】
その理由は、Ｗｅｂページの信頼度を、当該ページの作成または編集に関わった人の信頼度と、関わり度合いを示す貢献度とに基づいて算出するため、その新規に作成されたまたは編集されたページに対する閲覧者からの評価を必要とせずに信頼度を提示することができる構成を採用したためである。
【００５４】
また、第２の効果は、またページが編集された場合に、蓄積した評価情報に矛盾がないようにすることができるようになることである。
【００５５】
その理由は、Ｗｅｂページの編集に関わった人の信頼度と貢献度に基づいて、その編集されたページの信頼度を算出し、信頼度の高い人がページを編集するとページの信頼度も高くなり、逆に低い人が編集するとページの信頼度も低くなるような構成を採用したためである。
【００５６】
次に、本発明の第２の実施の形態について詳細に説明する。
【００５７】
図７を参照すると、本発明の第２の実施の形態であるＷｅｂページ信頼度判定システムの構成図が示されている。
【００５８】
このＷｅｂページ信頼度判定システムは、第１の実施の形態と比べて、プロキシサーバが構成要素に含まれている点、ページ信頼度判定サーバにＷｅｂページ以外の構成要素を持たせている点が異なる。
【００５９】
プロキシサーバ７００は、プログラムで制御され、プロキシサーバ７００の全体の制御を行うデータ処理部７０１、各種のデータの送受信を制御する送受信処理部７２０と、Ｗｅｂサーバ６００との連携を処理するＷｅｂサーバ連携処理部７０３と，Ｗｅｂページ信頼度判定サーバ８００との連携を処理するページ信頼度判定サーバ連携処理部７０２を備える。
【００６０】
そのため、本発明の第２の実施の形態では、閲覧者端末３００，Ｗｅｂページ作成編集者端末４００は、プロキシサーバ７００を介して、Ｗｅｂサーバ６００へアクセスするものとする。
【００６１】
Ｗｅｂサーバ６００は、プログラムで制御され、複数のＷｅｂページ１６０１０、Ｗｅｂページ２６０１１、ＷｅｂページＮ６０１２、ＷｅｂページＪ（編集）６０１３、ＷｅｂページＮ＋１（新規作成）６０１４、評価用ＵＩ６０１５を備える。
【００６２】
Ｗｅｂページは、ネットワーク上に存在する複数の閲覧者端末３００から閲覧可能であり、複数のＷｅｂページ作成編集者端末４００によって作成編集される。
【００６３】
Ｗｅｂページ信頼度判定サーバ８００は、プログラムで制御され、Ｗｅｂページ信頼度判定サーバ８００の全体の制御を行うデータ処理部８０１と、各種のデータの送受信を制御する送受信処理部８２０と、ページ情報を管理するページ情報データベース８２１と、人情報を管理する人情報データベース８２３と、ページ作成編集者情報を更新するページ作成編集者情報更新処理部８０２と，作成編集者の貢献度を算出するページ作成編集者貢献度算出処理部８０３と、ページ信頼度判定処理部８０４と，人信頼度情報取得処理部８０５と，人信頼度情報更新処理部８０６と、ページ信頼度情報を更新するページ信頼度情報更新処理部８２２を備える。
【００６４】
ページ情報を管理するページ情報データベース８２１には、図２に提示するページ信頼度テーブルＴｂ１およびページ作成編集者テーブルＴｂ２が作成される。
【００６５】
また、人情報を管理する人情報データベース８２３には、図３に提示する貢献度テーブルＴｂ３および人信頼度テーブルＴｂ４が作成される。
【００６６】
次に、図８，９，１０のフローチャートを用いて、本発明の第２の実施の形態であるＷｅｂページ信頼度判定システムの動作について詳細に説明する。
【００６７】
まず、ページ作成編集者がＷｅｂページを作成編集した際の動作を図８のフローチャートを用いて説明する。
【００６８】
あるページ作成編集者がＷｅｂページを作成編集すると（ステップＳ８００）、プロキシサーバ７００を経由して、Ｗｅｂページ信頼度判定サーバ８００へ通知される（ステップＳ８１０）。
【００６９】
Ｗｅｂページ信頼度判定サーバ８００は、通知を受けると、ページ作成編集者更新処理（ステップＳ８２０）、ページ信頼度判定処理を行う。
【００７０】
ここで、ステップＳ８２１〜Ｓ８２５の動作は、本発明の第１の実施の形態の図４で示されているステップＳ４１１〜Ｓ４１５と同様である。
【００７１】
ただし、ページ信頼判定に使用する情報をＷｅｂページ信頼度判定サーバ８００で一元管理するため、ステップＳ４２０〜Ｓ４２１の動作がステップＳ８２３に置き換わっている。
【００７２】
次に、ページ閲覧者がそのページに対する評価を行った際の動作を図９のフローチャートを用いて説明する。
【００７３】
ページ閲覧者が評価用ＵＩ６０１５を用いてページに対する評価を入力すると（ステップＳ９００）、プロキシサーバ７００を経由して、Ｗｅｂページ信頼度判定サーバ８００へ通知される（ステップＳ９１０）。
【００７４】
Ｗｅｂページ信頼度判定サーバ８００では、通知を受けると、ページ信頼度判定処理（ステップＳ９２０）、人信頼度更新処理（ステップＳ９２１〜Ｓ９２３）を行う。
【００７５】
ここで、ステップＳ９２０〜Ｓ９２３の動作は、本発明の第１の実施の形態の図５で示されているステップＳ５１０〜Ｓ５２０と同様である。
【００７６】
ただし、ページ信頼判定に使用する情報をＷｅｂページ信頼度判定サーバ８００で一元管理するため、ステップＳ５２０の動作がステップＳ９２３に置き換わっている。
【００７７】
次に、任意のタイミングでのページ信頼度の更新処理動作を図１０のフローチャートを用いて説明する。
【００７８】
Ｗｅｂページ信頼度判定サーバ８００では任意のタイミングでページ信頼度判定処理を行う。
【００７９】
一連の処理で行われるステップＳ１００００〜Ｓ１００３は、本発明の第１の実施の形態の図６のフローチャートで示されているステップＳ６００〜Ｓ６０３と同様である。
【００８０】
ただし、ページ信頼判定に使用する情報をＷｅｂページ信頼度判定サーバ８００で一元管理するため、Ｓ６１０の動作がステップＳ１００１に置き換わっている。
【００８１】
次に、本発明の第２の実施の形態の効果について詳細に説明する。
【００８２】
本発明の第２の実施の形態の効果は、既存のＷｅｂページ信頼度判定管理サーバ１００、Ｗｅｂページを変更することなく、本発明の第１の実施の形態で記述した２つの効果を得ることができることである。
【００８３】
その理由は、本発明の第１の実施の形態ではＷｅｂページ信頼度判定管理サーバ１００に持たせていたページ信頼度判定に関連する構成要素、機能、処理を、Ｗｅｂページ信頼度判定サーバ８００に持たせているからである。
【図面の簡単な説明】
【００８４】
【図１】本発明の第１の実施の形態であるＷｅｂページ信頼度判定システムの全体構成図である。
【図２】本発明の第１の実施の形態であるページ情報データベース１２２内のページ信頼度テーブルＴｂ１とページ作成編集者テーブルＴｂ２を例示する図である。
【図３】本発明の第１の実施の形態である人情報データベース１２３内の貢献度テーブルＴｂ３と、人信頼度テーブルＴｂ４を例示する図である。
【図４】本発明の第１の実施の形態であるＷｅｂページ信頼度判定システムのフローチャート（１／３）を示す図である。
【図５】本発明の第１の実施の形態であるＷｅｂページ信頼度判定システムのフローチャート（２／３）を示す図である。
【図６】本発明の第１の実施の形態であるＷｅｂページ信頼度判定システムのフローチャート（３／３）を示す図である。
【図７】本発明の第２の実施の形態であるＷｅｂページ信頼度判定システムの全体構成図である。
【図８】本発明の第２の実施の形態であるＷｅｂページ信頼度判定システムのフローチャート（１／３）を示す図である。
【図９】本発明の第２の実施の形態であるＷｅｂページ信頼度判定システムのフローチャート（２／３）を示す図である。
【図１０】本発明の第２の実施の形態であるＷｅｂページ信頼度判定システムのフローチャート（３／３）を示す図である。
【符号の説明】
【００８５】
１００    Ｗｅｂページ信頼度判定管理サーバ
１０１    Ｗｅｂページ表示処理部
１０２    ページ作成編集者情報更新処理部
１０３    ページ作成編集者貢献度算出処理部
１０４    ページ信頼度判定処理部
１０５    人信頼度情報取得処理部
１２０    データ処理部
１２１    送受信処理部
１２２    ページ情報データベース
１２３    ページ信頼度情報更新処理部
１２４    人情報データベース
１２５    人信頼度情報更新処理部
１２６    人信頼度情報送信処理部
２００    人信頼度管理サーバ
２０１    データ処理部
２０２    人信頼度情報受信処理部
２０３    人信頼度情報更新処理部
２２０    送受信処理部
２２１    人情報データベース
３００    閲覧者端末
４００    Ｗｅｂページ作成編集者端末
５００    ネットワーク
６００    Ｗｅｂサーバ
７００    プロキシサーバ
７０１    データ処理部
７０２    ページ信頼度判定サーバ連携処理部
７０３    Ｗｅｂサーバ連携処理部
７２０    送受信処理部
８００    ページ信頼度判定サーバ
８０１    データ処理部
８０２    ページ作成編集者情報更新処理部
８０３    ページ作成編集者貢献度算出処理部
８０４    ページ信頼度判定処理部
８０５    人信頼度情報取得処理部
８０６    人信頼度情報更新処理部
８２０    送受信処理部
８２１    ページ情報データベース
８２２    ページ信頼度情報更新処理部
８２３    人情報データベース
１０１０    Ｗｅｂページ１
１０１１    Ｗｅｂページ２
１０１２    ＷｅｂページＮ
１０１３    ＷｅｂページＪ（編集）
１０１４    ＷｅｂページＮ＋１（新規作成）
１０１５    評価用ＵＩ
６０１０    Ｗｅｂページ１
６０１１    Ｗｅｂページ２
６０１２    ＷｅｂページＮ
６０１３    ＷｅｂページＪ（編集）
６０１４    ＷｅｂページＮ＋１（新規作成）
６０１５    評価用ＵＩ
【図１】
2008242509.tif 000003
【図２】
2008242509.tif 000004
【図３】
2008242509.tif 000005
【図４】
2008242509.tif 000006
【図５】
2008242509.tif 000007
【図６】
2008242509.tif 000008
【図７】
2008242509.tif 000009
【図８】
2008242509.tif 000010
【図９】
2008242509.tif 000011
【図１０】
2008242509.tif 000012